(57)【要約】【課題】従来は鏡を壁側に連結するリンク機構を鏡の左右両辺の裏側に連結させているため、鏡を手前に引き出し、あるいは引き出した鏡を元の状態に戻す際に、鏡の左右を把持すれば、鏡の裏側に回り込んだ指先がリンク機構に挟まる危険性が存在する。【解決手段】鏡を揺動自在に保持する枠体２の左右の辺から各々内側に入った位置に１対の垂直な保持辺２０を設け、その保持辺２０に上記揺動リンク３１，３２を連結させ、鏡の左右の辺を把持しても指が揺動リンク３１，３２に挟まれないようにした。【選択図】  図２
2019024684.tif 000002
【特許請求の範囲】
【請求項１】
壁面に対して上下方向に揺動する揺動リンクを介して取り付けられた枠体を備え、その枠体に鏡を保持させると共に、その枠体を手前に引くことによって鏡が枠体と共に下方に揺動しながら手前側に移動する鏡台装置において、上記枠体の左右の辺から各々内側に入った位置に１対の垂直な保持辺を設け、その保持辺に上記揺動リンクを連結させたことを特徴とする鏡台装置。
【請求項２】
上記１対の保持辺によって枠体が左右方向に３区分され、各区分に手前に引くことによって横方向に揺動する鏡を設けたことを特徴とする請求項１に記載の鏡台装置。
【請求項３】
上記３枚の鏡のうち、左右の鏡は手前に引くことによって各々内側に向かって揺動することを特徴とする請求項２に記載の鏡台装置。
【請求項４】
上記揺動リンクは２本のリンク棒が上下方向に間隔を存して設けられた平行リンク機構で有り、両リンク棒の間に、枠体及び鏡を上方に移動させる方向にロッドを突き出して付勢する空気バネを設けたことを特徴とする請求項１から請求項３のいずれかに記載の鏡台装置。
【請求項５】
上記空気バネは、ロッドの突き出し位置を任意の位置で固定するセルフロック機構を備えており、上記枠体の下辺の下部に、把持することによりこのセルフロック機構を解除するロック解除部を設けたことを特徴とする請求項４に記載の鏡台装置。
【請求項６】
上記各鏡が上記枠体に対して揺動している状態では上記セルフロック機構の解除を禁止するロック解除禁止機構を上記ロック解除部に設けたことを特徴とする請求項５に記載の鏡台装置。
【請求項７】
上記鏡を左右方向に揺動させる揺動軸は、鏡が枠体に対して閉じた状態から開く動作に連動して隣り合う鏡から離れる方向に移動することによって鏡の開閉時に隣り合う２枚の鏡の干渉を防止するように構成されていることを特徴とする請求項１から請求項６のいずれかに記載の鏡台装置。
【請求項８】
上記鏡の少なくとも一部に透光部を形成し、その透光部の背面側に照明部を備えていることを特徴とする請求項１から請求項７のいずれかに記載の鏡台装置。
【発明の詳細な説明】
【技術分野】
【０００１】
本発明は、洗面台などが設置されている壁面に取り付けられる鏡台装置に関する。
【背景技術】
【０００２】
洗面台に向かってたった状態で顔などを映すための鏡が壁面に取り付けられている場合が多い。ただし、洗面台が間に存在しているため、鏡との距離がある程度存在し、鏡に顔を近づけたい場合には、洗面台を覆うように腰を曲げる必要がある。このような姿勢は肉体的に無理があり、また下半身に障害があるなどの理由から起立できない場合には、鏡に顔を近づけることは不可能に近かった。
【０００３】
そこで、鏡を手前側に引くように構成することによって無理な姿勢を取ることなく鏡に顔を近づけるようにしたものが知られている。このような鏡を手前に引くことのできるものとして、例えば、１枚の鏡の左右両辺の裏側に揺動リンクの一端を回動自在に連結すると共に、この揺動リンクの他端を壁側に固定された収納ボックスに揺動自在に連結して、通常の状態では鏡で収納ボックスの手前側開口を閉鎖し、その状態から鏡を手前に引けば揺動リンクによって鏡が手前側であって、かつ下方に降りながら揺動するようにしたものが知られている（例えば、特許文献１参照）。
【０００４】
あるいは、上記揺動リンクを多段に連結したものを鏡の左右両辺に連結し、収納ボックスを閉塞している状態から鏡を手前側に水平に引き寄せられるように構成したものが知られている（例えば、特許文献２参照）。
【先行技術文献】
【特許文献】
【０００５】
【特許文献１】特開２００５−２７９０２１号公報（図２）
【特許文献２】実開平３−７３３８２号公報（第２図）
【発明の概要】
【発明が解決しようとする課題】
【０００６】
上記従来のものではいずれも鏡を壁側に連結するリンク機構を鏡の左右両辺の裏側に連結させているため、鏡を手前に引き出し、あるいは引き出した鏡を元の状態に戻す際に、鏡の左右を把持すれば、鏡の裏側に回り込んだ指先がリンク機構に挟まる危険性が存在する。
【０００７】
そこで本発明は、上記の問題点に鑑み、鏡を手前に引き出し、あるいは元の状態に収納する際に指先をリンク機構に挟むおそれのない鏡台装置を提供することを課題とする。
【課題を解決するための手段】
【０００８】
上記課題を解決するために本発明による鏡台装置は、壁面に対して上下方向に揺動する揺動リンクを介して取り付けられた枠体を備え、その枠体に鏡を保持させると共に、その枠体を手前に引くことによって鏡が枠体と共に下方に揺動しながら手前側に移動する鏡台装置において、上記枠体の左右の辺から各々内側に入った位置に１対の垂直な保持辺を設け、その保持辺に上記揺動リンクを連結させたことを特徴とする。
【０００９】
上記保持片は枠体の左右の辺から内側に入った位置に設けられているので、保持辺に揺動リンクが連結されていても、枠体の左右の辺を把持した状態で指が揺動リンクに挟まれるおそれがない。
【００１０】
なお、上記１対の保持辺によって枠体が左右方向に３区分され、各区分に手前に引くことによって横方向に揺動する鏡を設ければ、１枚の大きな鏡を揺動させる必要がない。
【００１１】
その際に、上記３枚の鏡のうち、左右の鏡は手前に引くことによって各々内側に向かって揺動させれば、いわゆる３面鏡として機能させることができる。
【００１２】
ところで、上記揺動リンクは２本のリンク棒が上下方向に間隔を存して設けられた平行リンク機構で有り、両リンク棒の間に、枠体及び鏡を上方に移動させる方向にロッドを突き出して付勢する空気バネを設けることによって、鏡の自重を空気バネによって補助して、重量のある鏡及び枠体であっても少ない力で揺動させることができる。
【００１３】
上記空気バネは、ロッドの突き出し位置を任意の位置で固定するセルフロック機構を備えており、上記枠体の下辺の下部に、把持することによりこのセルフロック機構を解除するロック解除部を設けて、鏡を任意の位置で停止させ、その状態でロックさせることが望ましい。
【００１４】
また、鏡が開いた状態で枠体全体を揺動させると、開いている鏡が邪魔になる場合が生じるので、上記各鏡が上記枠体に対して揺動している状態では上記セルフロック機構の解除を禁止するロック解除禁止機構を上記ロック解除部に設けることが望ましい。
【００１５】
鏡同士の間が空いているとデザイン性が損なわれるが、揺動のための隙間を設ける必要がある。この隙間を可及的に狭くするために、上記鏡を左右方向に揺動させる揺動軸は、鏡が枠体に対して閉じた状態から開く動作に連動して隣り合う鏡から離れる方向に移動することによって鏡の開閉時に隣り合う２枚の鏡の干渉を防止するように構成することが望ましい。
【００１６】
なお、上記鏡の少なくとも一部に透光部を形成し、その透光部の背面側に照明部を備えていれば、照明部を設けることによる段差などが鏡の表面に生じなく鏡の表面を一体面にすることができるので、デザイン性の低下を防止することができる。なお、この透光部はハーフミラーや磨りガラスなどなどが考えられる。
【発明の効果】
【００１７】
以上の説明から明らかなように、本発明は、揺動リンクを枠体の左右の辺よりも内側に設けたので、枠体を揺動させる際にわぃたいの左右の辺を把持しても指が揺動リンクに挟まれることがなく、使用勝手を向上させることができる。
【図面の簡単な説明】
【００１８】
【図１】本発明の鏡台装置を設置した状態を示す図
【図２】枠体と揺動リンクとの連結状態を示す図
【図３】枠体を手前に移動させた状態を示す側面図
【図４】鏡の揺動軸の構成を示す図
【図５】ロック解除部の詳細を示す図
【図６】ロック解除禁止機構を説明する斜視図
【図７】ロック解除禁止機構を説明する側面図
【発明を実施するための形態】
【００１９】
図１を参照して、本図は本発明による鏡台装置１が収納ボックス１１に取り付けられている状態を示している。この収納ボックス１１は洗面台Ａが設置されいている壁面に固定されている。鏡台装置１には左右方向に長手となる長方形の枠体２が設けられており、この枠体２が収納ボックス１１に上下方向に揺動自在に連結されている。そして、枠体２には左右方向に３枚の鏡２１，２２，２３が並設されている。各鏡２１，２２，２３は各々枠体２に対して左右方向に揺動し開閉するように取り付けられている。なお、左右の鏡２１，２３は各々内側に向かって開くように取り付けられている。
【００２０】
図２及び図３を参照して、枠体２には左右の辺から内側に位置する２本の保持辺２０が設けられており、各保持辺２０と収納ボックス１１とが揺動リンクを介して連結されている。この揺動リンクは、上リンク部材３１と、この上リンク部材３１に対して平行な下リンク部材３２とから構成された、いわゆる平行リンクである。従って、枠体２は収納ボックス１１の前面開口を閉塞する垂直に起立した状態から手前に引くことによって、垂直な状態を保持したまま手前に下降しながら揺動する。その際、枠体２及び３枚の鏡２１，２２，２３の自重をアシストするために、上リンク部材３１と下リンク部材３２との間に、枠体２を上方に持ち上げる方向に付勢する空気バネ３を配設した。この空気バネ３にはロッドの先端にロック部３ａが設けられており、このロック部３ａによるロック機能によってロッドを任意の突き出し位置でロックすることができる。従って、ロッドをロックすると、枠体２を揺動軌跡の途中の任意の位置で停止保持することができる。なお、４は後述するロック解除部であり、枠体２を手前に引き寄せる際に把持することによってワイヤ３ｂを介してロック部３ａのロッドに対するロックを解除して、枠体２を手前に引き寄せ、あるいは収納ボックス１１側に押し戻すことができるようにする。
【００２１】
図４を参照して、各鏡２１，２２，２３の揺動軸２５は直接枠体２に連結されているのではなく、アーム部材２４を介して枠体２に連結されている。そして、アーム部材２４と鏡２１，２２，２３との相対位置を一義的に規制するために、さらに補助アーム部材２６を枠体２と鏡２１，２２，２３との間に架設した。このように構成することによって、例えば左側の鏡２１であれば、鏡２１が閉じている状態から右方向に向かって鏡２１を揺動し開ける場合、揺動軸２５が隣の鏡２２から離れる方向に移動して、鏡２１の右辺が鏡２２に干渉することを防止することができる。なお、鏡２１の開度を９０度程度で規制するため、補助アーム部材２６にはストッパ部２６ａが形成されており、このストッパ部２６ａが揺動軸２５の角部２７に当接して鏡２１，２２，２３の開度を規制するようにした。なお、５は後述するストッパ部材である。
【００２２】
図６を参照して、上述したロック解除部４は、固定カバー４１と、この固定カバー４１の裏側に、固定カバー４１に対して揺動軸４２ａによって揺動自在に保持された把持部４２とが設けられている。ロック解除部４を前方から把持することによって把持部４２を手前側に揺動させると、上記空気バネ３のロック部３ａのロックが解除され、手を離すとロック部３ａによるロックが再度発揮されることになる。
【００２３】
５ａは固定カバー４１に取り付けられた揺動軸であり、この揺動軸５ａには上述のロック部材５が前後方向に揺動自在に取り付けられている。
【００２４】
図７を合わせて参照して、ロック部材５の上端は枠体２に形成されたスリット２ｓを通って枠体２内に位置している。このロック部材５は図示しないトーションばねによって前側に揺動するように付勢されており、図７の２点鎖線で示すロック位置ではロック片５１が把持部４２のロック解除禁止部４３に係合して、把持部４２が手前に揺動できないようにしている。すなわち、把持部４２が手前に揺動できなければ空気バネ３のロック部３ａのロック状態の解除を禁止するので、枠体２を移動させることができない。
【００２５】
枠体２に対して鏡２１，２２，２３を閉めると、各鏡２１，２２，２３の後ろ側下辺がロック部材５の上端を後方に押して、ロック部材５を図７の実線で示した状態に揺動する。するとロック部材５のロック片５１がロック解除禁止部４３の軌跡から退避して把持部４２を手前側に揺動できる状態、すなわちロック解除が可能な状態にする。つまり、鏡２１，２２，２３が枠体２に対して閉じた状態でなければ空気バネ３のロック部３ａのロック状態を解除することができず、従って、鏡２１，２２，２３を閉じなければ枠体２を移動させることができない。なお、左右２個所の把持部４２は互いに図示しないクランク状の連結棒によって揺動動作が連結されており、３枚の鏡２１，２２，２３のいずれか１枚でも開いた状態であれば、両方の把持部４２を手前に揺動させることができないので、全ての鏡２１，２２，２３を閉じた状態でのみ、空気バネ３のロック状態を解除して枠体２を移動させることができる。
【００２６】
ところで、各鏡２１，２２，２３の少なくとも一部を透光部としてハーフミラーとして、そのハーフミラーとした部分の裏側にＬＥＤを配置し、鏡２１，２２，２３越しに照明できるように構成することが望ましい。なお、ＬＥＤの配置位置としては、例えば各鏡２１，２２，２３の左右辺あたりに上下方向にＬＥＤを並設することが考えられる。また、透光部はハーフミラーの他に磨りガラスなどにしてもよい。ただし、磨りガラスにすると、その部分は鏡として機能しないが、鏡の表面に段差を設けることなく照明機能を付加することができるので、デザイン性を損なうことがない。
【００２７】
なお、本発明は上記した形態に限定されるものではなく、本発明の要旨を逸脱しない範囲内において種々の変更を加えてもかまわない。
【符号の説明】
【００２８】
１  鏡台装置
２  枠体
２ｓ  スリット
３  空気バネ
３ａ  ロック部
３ｂ  ワイヤ
４  ロック解除部
５  ロック部材
１１  収納ボックス
２０  保持辺
２１，２２，２３  鏡
２４  アーム部材
２５  揺動軸
２６  補助アーム部材
２６ａ  ストッパ部
３１  上リンク部材
３２  下リンク部材
４１  固定カバー
４２  把持部
４３  ロック解除禁止部
Ａ  洗面台
【図１】
2019024684.tif 000003
【図２】
2019024684.tif 000004
【図３】
2019024684.tif 000005
【図４】
2019024684.tif 000006
【図５】
2019024684.tif 000007
【図６】
2019024684.tif 000008
【図７】
2019024684.tif 000009